(57)【要約】【課題】複数ページの印刷データを印刷する際、１ページ目がモノクロの文字のみで構成されている場合や、１ページ目が色覚型色変換に影響しない色で構成されている場合は、１ページ目の印刷データからは、どのユーザ向けの印刷物か判断できない。【解決手段】特定のユーザに対する印刷物を識別可能に排紙する画像処理装置であって、印刷ジョブに基づく印刷物の配布先に前記特定のユーザが含まれる場合、前記印刷ジョブの印刷データに対して色変換処理を行い、特定のユーザに対する印刷物の印刷条件、及び排紙条件の少なくともいずれかを設定して、前記色変換手段により色変換処理された印刷データに基づく印刷処理を実行するとともに、前記特定のユーザでないユーザに対しては前記印刷ジョブの印刷データに基づく印刷を行う。【選択図】  図４
2020086468.tif 000002
【特許請求の範囲】
【請求項１】
特定のユーザに対する印刷物を識別可能に排紙する画像処理装置であって、
印刷ジョブに基づく印刷物の配布先に前記特定のユーザが含まれる場合、前記印刷ジョブの印刷データに対して色変換処理を行う色変換手段と、
前記特定のユーザに対する印刷物の印刷条件、及び排紙条件の少なくともいずれかを設定して、前記色変換手段により色変換処理された印刷データに基づく印刷処理を実行するとともに、前記特定のユーザでないユーザに対しては前記印刷ジョブの印刷データに基づく印刷を行うように制御する制御手段と、
を有することを特徴とする画像処理装置。
【請求項２】
前記色変換手段は、前記印刷ジョブの印刷データがフルカラーの場合に、前記印刷ジョブの印刷データに対して色変換処理を行うことを特徴とする請求項１に記載の画像処理装置。
【請求項３】
前記印刷条件は、前記特定のユーザに対する印刷物の最初のページに、前記特定のユーザである旨を印刷する条件を含むことを特徴とする請求項１に記載の画像処理装置。
【請求項４】
前記印刷条件は、前記特定のユーザに対する印刷データの印刷の順番の変更を含むことを特徴とする請求項１に記載の画像処理装置。
【請求項５】
前記印刷条件は、前記特定のユーザに対する印刷物を排紙する順番の変更を含むことを特徴とする請求項１に記載の画像処理装置。
【請求項６】
前記特定のユーザに対する印刷物の順番をユーザに通知する手段を、更に有することを特徴とする請求項４又は５に記載の画像処理装置。
【請求項７】
前記印刷条件は、前記特定のユーザに対する印刷物の用紙の設定を含むことを特徴とする請求項１に記載の画像処理装置。
【請求項８】
前記特定のユーザに対する印刷物の用紙の設定をユーザに通知する手段を、更に有することを特徴とする請求項７に記載の画像処理装置。
【請求項９】
前記排紙条件は、前記特定のユーザに対する印刷物の排紙先の変更を含むことを特徴とする請求項１に記載の画像処理装置。
【請求項１０】
前記特定のユーザに対する印刷物の用紙の排紙先をユーザに通知する手段を、更に有することを特徴とする請求項９に記載の画像処理装置。
【請求項１１】
前記排紙条件は、前記特定のユーザに対する印刷物を識別するための仕切り紙の設定を含むことを特徴とする請求項１に記載の画像処理装置。
【請求項１２】
前記特定のユーザに対する印刷物に対する前記仕切り紙を位置をユーザに通知する手段を、更に有することを特徴とする請求項１１に記載の画像処理装置。
【請求項１３】
前記仕切り紙の設定を有効或いは無効に設定する画面を表示する表示手段を、更に有し、
前記仕切り紙の設定を有効に設定された場合、前記画面を介して、前記仕切り紙の給紙元を設定できることを特徴とする請求項１１又は１２に記載の画像処理装置。
【請求項１４】
各ユーザの色覚型を含むユーザ情報を取得する取得手段と、
前記印刷ジョブに基づく印刷物の配布先に設定されているユーザの色覚型を前記ユーザ情報から取得し、前記ユーザの色覚型と前記印刷ジョブの印刷データの色情報とに基づいて、前記色変換手段による色変換処理が必要かどうか判定する判定手段を、更に有することを特徴とする請求項１乃至１３のいずれか１項に記載の画像処理装置。
【請求項１５】
前記判定手段は、前記ユーザの色覚型の混同色中心と、前記印刷データの色値を結ぶ直線上に２色以上が含まれている場合に前記色変換処理が必要と判定することを特徴とする請求項１４に記載の画像処理装置。
【請求項１６】
前記色変換手段は、前記ユーザの色覚型の混同色中心と、前記印刷データの色値を結ぶ直線上に２色以上が含まれている場合に、予め用意している候補となる色値で使われていない色値を抽出し、前記直線上にある色値のいずれかを、前記抽出した色値で置き換えることを特徴とする請求項１５に記載の画像処理装置。
【請求項１７】
特定のユーザに対する印刷物を識別可能に排紙する画像処理装置を制御する制御方法であって、
印刷ジョブに基づく印刷物の配布先に前記特定のユーザが含まれる場合、前記印刷ジョブの印刷データに対して色変換処理を行う色変換工程と、
前記特定のユーザに対する印刷物の印刷条件、及び排紙条件の少なくともいずれかを設定して、前記色変換工程で色変換処理された印刷データに基づく印刷処理を実行するとともに、前記特定のユーザでないユーザに対しては前記印刷ジョブの印刷データに基づく印刷を行うように制御する制御工程と、
を有することを特徴とする制御方法。
【請求項１８】
コンピュータを、請求項１乃至１６のいずれか１項に記載の画像処理装置の各手段として機能させるためのプログラム。
【発明の詳細な説明】
【技術分野】
【０００１】
本発明は、画像処理装置とその制御方法、及びプログラムに関するものである。
【背景技術】
【０００２】
プリンタを使用して印刷する際、配布対象となるグループの人数分の部数で印刷し、その印刷物を、そのグループの各ユーザに配布する場合がある。カラープリンタで印刷されたカラーの印刷物を配布する際、グループの中に色覚にハンディキャップのあるユーザが含まれている場合、そのユーザはカラーの印刷物の中で特定の色の組合わせの識別が難しくなる場合がある。例えば、ＣＵＤＯ（カラーユニバーサルデザイン機構）が提案している色覚型で、Ｄ型色覚に該当するユーザがいる場合、赤と緑のように２色以上の組合わせた色を使用していると、そのユーザは、それらの色の識別が難しくなる場合がある。その結果、グラフや文字で識別が難しい色同士を組み合わせた画像データをフルカラー設定で印刷すると、そのユーザは、その画像の内容を正しく理解することができなくなる。ＣＵＤＯが提案している色覚型の種類として、Ｃ型、Ｐ型、Ｄ型、Ａ型、Ｔ型があり、Ｃ型以外の色覚型のユーザは、特定の色の識別が難しいユーザである。
【０００３】
Ｃ型以外の色覚型のユーザに対してもカラーの印刷物の特定の色同士の識別の難しさを軽減する方法として、画像データの中で識別の難しい色を検出し、その検出した色を見分けやすい色に変換する方法がある。しかしながら、グループの中にＣ型以外の色覚型のユーザが含まれる場合、その印刷を行うジョブを、Ｃ型色覚のユーザ向けのジョブと、Ｃ型以外の色覚型のユーザ向けのジョブというように、複数のジョブに分けて作成しなければならない。そのため、印刷に要する操作が増えてしまい、印刷者への負荷が発生してしまう。
【０００４】
このような印刷者への負荷を軽減するために、例えば特許文献１には、グループ毎に色覚型を分類分けした情報を予め保持しておき、設定されたグループの印刷物を作成する際に、分類分けした情報に対応した色覚型のユーザ向け色変換処理（以下、色覚型色変換）を実行して印刷する技術が記載されている。
【０００５】
また特許文献２には、ユーザ毎に色覚型等に関する視覚特性情報を予め保持し、配布予定となる複数のユーザを設定して印刷する際、ユーザの視覚特性情報に対応した色覚型色変換や印刷設定を実行して印刷する技術が記載されている。
【０００６】
いずれの特許文献に記載の技術においても、一度の印刷設定で、Ｃ型以外の色覚型のユーザも考慮したグループごとの印刷が可能となる。
【先行技術文献】
【特許文献】
【０００７】
【特許文献１】特開２００８−９０７２１号公報
【特許文献２】特開２００９−１９９２６２号公報
【発明の概要】
【発明が解決しようとする課題】
【０００８】
しかしながら、こうして得られた印刷物が、色覚型のユーザ向けに設定されているものかどうか１ページ目の印刷物から判断できない場合がある。例えば、複数ページの印刷データを印刷する際、１ページ目がモノクロの文字のみで構成されている場合や、１ページ目が色覚型色変換に影響しない色で構成されている場合は、１ページ目の印刷データからは、どのユーザ向けの印刷物か判断できない。従って、そのような印刷物を各ユーザに配布する際、印刷者又は配布者が、各ユーザの視覚情報を把握したり、色覚型色変換が行われた印刷物の内容を確認しなければならず、配布するための作業負荷がかかってしまうという課題がある。
【０００９】
本発明の目的は、上記従来技術の問題点の少なくとも一つを解決することにある。
【００１０】
本発明の目的は、色覚型のユーザ向けの印刷物かどうかを容易に判定できる技術を提供することにある。
【課題を解決するための手段】
【００１１】
上記目的を達成するために本発明の一態様に係る画像処理装置は以下のような構成を備える。即ち、
特定のユーザに対する印刷物を識別可能に排紙する画像処理装置であって、
印刷ジョブに基づく印刷物の配布先に前記特定のユーザが含まれる場合、前記印刷ジョブの印刷データに対して色変換処理を行う色変換手段と、
前記特定のユーザに対する印刷物の印刷条件、及び排紙条件の少なくともいずれかを設定して、前記色変換手段により色変換処理された印刷データに基づく印刷処理を実行するとともに、前記特定のユーザでないユーザに対しては前記印刷ジョブの印刷データに基づく印刷を行うように制御する制御手段と、を有することを特徴とする。
【発明の効果】
【００１２】
本発明によれば、色覚型のユーザ向けの印刷物かどうかを容易に判定できるため、印刷物を配布するための作業負荷を軽減できるという効果がある。
【００１３】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１４】
添付図面は明細書に含まれ、その一部を構成し、本発明の実施形態を示し、その記述と共に本発明の原理を説明するために用いられる。
【図１】実施形態に係る印刷システムの構成例を示すブロック図。
【図２】実施形態に係る画像処理装置が、受信した印刷データに対して実行する画像処理を説明するフローチャート。
【図３】図２のＳ２０３の色覚型色解析処理を説明するフローチャート。
【図４】実施形態に係る画像処理装置が実行するＳ３１４の印刷制御変更処理を説明するフローチャート。
【図５】実施形態において、ユーザごとに色覚型を登録しているユーザデータベースの一例を説明する図。
【図６】実施形態において、ユーザのグループを登録しているデータベースの一例を説明する図。
【図７】実施形態で抽出した色覚型情報の例を示す図。
【図８】実施形態におけるジョブの分割及び色覚型色変換に伴う印刷制御を行ったときのジョブの順番や部数、設定の一例を示す図。
【図９】実施形態に係る画像処理装置がジョブの分割及び色覚型色変換に伴う印刷制御を行った結果をユーザへ通知するＵＩの一例を示す図。
【図１０】実施形態に係る画像処理装置がジョブの分割及び色覚型色変換に伴う印刷制御を行った結果をユーザへ通知するＵＩの一例を示す図。
【図１１】実施形態における仕切紙の挿入及び設定するためのＵＩの一例を示す図。
【図１２】実施形態のＳ３０７で分析した画素値をｘｙ色度図で表現した例を示す図。
【図１３】実施形態におけるＰＣのプリンタドライバからグループ設定するＵＩの一例を説明する図。
【発明を実施するための形態】
【００１５】
以下、添付図面を参照して本発明の実施形態を詳しく説明する。尚、以下の実施形態は特許請求の範囲に係る本発明を限定するものでするものでなく、また実施形態で説明されている特徴の組み合わせの全てが本発明の解決手段に必須のものとは限らない。
【００１６】
実施形態では、印刷物の配布先として指定されたグループにＣ型（一般色覚）以外のユーザが含まれる場合に、色覚型色変換が必要とする印刷ジョブであるか判断し、排紙トレイや給紙する用紙設定等の印刷設定を切り替える方法を説明する。
【００１７】
図１は、実施形態に係る印刷システムの構成例を示すブロック図である。この印刷システムは、画像処理装置１００と情報処理装置１１５を有している。
【００１８】
画像処理装置１００は、装置制御部１０２、ユーザインターフェース１０４、画像読取部１０８、表示部１０９、画像出力部１１０、給紙部１１２、排紙部１１３を有している。装置制御部１０２は、ＣＰＵ１０５、ＲＡＭ１０６、記憶部１０７、画像データを処理するＡＳＩＣなどで構成される画像処理部１０３を有している。また画像出力部１１０はＣＰＵ１１１、ＲＡＭ１１４を備えている。この画像処理装置１００は、ネットワーク１０１を介して、外部の情報処理装置１１５と接続されている。
【００１９】
ユーザインターフェース１０４は、例えばキーボード、ポインティングデバイス、その他の入出力装置を有し、各種の設定値又は指定値を入力することができる。ＣＰＵ１０５は、記憶部１０７に記憶されている初期プログラムを実行して、メインプログラムを記憶部１０７より読出してＲＡＭ１０６に展開する。ＲＡＭ１０６はプログラム格納用やワーク用のメインメモリとして使用される。そしてＣＰＵ１０５は、メインプログラムに従って装置制御部１０２を制御する。装置制御部１０２はコントローラ基板上にＣＰＵ１０５、ＲＡＭ１０６，記憶部１０７、画像処理部１０３の各デバイスを実装して形成されており、この画像処理装置１００の動作を制御している。
【００２０】
画像読取部１０８は、束状、或いは一枚の原稿画像を図示しない光源で照射し、原稿からの反射光をレンズでＣＣＤ（Charge Coupled Device）センサ等の固体撮像素子上に結像する。そして、固体撮像素子から得られた画像読み取り信号を画像データとして得る。画像処理部１０３は、ネットワーク１０１を介してＰＣなどのプリンタドライバから送信された印刷データや、画像読取部１０８で取得した画像データに対して画像処理を行う。画像処理部１０３について詳細は後述する。記憶部１０７は、画像処理部１０３で処理された画像データやＰＣのプリンタドライバから送信された印刷データ、後述するユーザ毎の色覚情報ＤＢ（データベース）及びユーザ毎のグループ設定情報ＤＢ等を保存する。
【００２１】
画像出力部１１０は、装置制御部１０２と接続されており、画像処理部１０３で処理された画像データに基づいて、Ｃ，Ｍ，Ｙ，Ｋ等の有色トナーを用いてシート上に画像を形成するプリンタである。ＣＰＵ１１１は画像出力部１１０の動作を制御する。画像出力部１１０は、シートの給紙を行う給紙部１１２と、印刷されたシートを排出する排紙部１１３を有している。
【００２２】
情報処理装置１１５の制御部１２０は、画像処理部１１６、ＣＰＵ１１７、ＲＡＭ１１８、記憶部１１９を備えている。ＣＰＵ１１７は、記憶部１１９に記憶されている初期プログラムを実行してメインプログラムを記憶部１１９より読出し、ＲＡＭ１１８に展開する。ＲＡＭ１１８はプログラム格納用や、ワーク用のメインメモリとして使用される。そしてＣＰＵ１１７は、ＲＡＭ１１８に展開されたメインプログラムに従って制御部１２０を制御する。尚、画像処理装置１００の一部の機能を、ネットワーク１０１を介して通信を相互に行うことにより、この情報処理装置１１５で実行することが可能である。
【００２３】
以上説明した画像処理装置１００は一例であり、画像読取部１０８を有さない構成の画像処理装置１００であってもよい。また画像処理装置１００の一部機能を、ネットワークを介して通信を相互に行うことにより情報処理装置１１５で実行するようにしても構わない。情報処理装置１１５は、サーバ等のコンピュータ装置で実装してもよいし、インターネット上のクラウドサーバで実装してもよい。その他必要に応じて、その他の構成を備えるものであってもよい。
【００２４】
図２は、実施形態に係る画像処理装置１００が、受信した印刷データに対して実行する画像処理を説明するフローチャートである。尚、このフローチャートで示す処理は、ＣＰＵ１０５がＲＡＭ１０６に展開したプログラムを実行することにより実現される。この処理は、ＰＣのプリンタドライバから印刷データを受信することにより起動される。尚、処理中に作成されたデータは、記憶部１０７に一時的に保存されるものとする。
【００２５】
まずＳ２０１でＣＰＵ１０５は、受信した印刷データのＰＤＬ（ページ記述言語）部分と、印刷部数、用紙トレイ、カラーモード等の印刷制御命令を解釈し、印刷ジョブとそれに対応する中間言語データを生成する。尚、実施形態における印刷制御命令の解釈は、ユーザによって印刷部数、用紙トレイ、カラーモード等の印刷設定が指定されている場合は、その設定値を反映するが、設定値が指定されていない印刷設定項目は、予め決められた初期値を設定するものとする。また実施形態におけるカラーモードは、フルカラー指定でカラー印刷するモードと、モノクロ指定でモノクロ印刷するモード、Ｃ型色覚以外のユーザ向けに各色覚型に対応した色覚型色変換で印刷するモードがあるものとする。
【００２６】
次にＳ２０２に進みＣＰＵ１０５は、Ｓ２０１で生成した中間言語データにレンダリング処理を行ってビットマップ展開したラスタ画像データを生成する。次にＳ２０３に進みＣＰＵ１０５は、Ｓ２０２で生成したラスタ画像データとジョブの設定情報、ユーザ情報に基づいて、色覚型色変換が必要な印刷ジョブであるか判定する。そして、色覚型色変換を行う場合は、印刷制御方法の切り替え処理を行う。尚、色覚型色解析処理の詳細は後述する。
【００２７】
次にＳ２０４に進みＣＰＵ１０５は、Ｓ２０２で生成したラスタ画像データの色変換処理を行ってＣＭＹＫ画像データを生成する。尚、実施形態に限らず、Ｓ２０１後の中間言語データに対してプロファイルとＣＭＳ（Ｃｏｌｏｒ  Ｍａｎａｇｅｍｅｎｔ  Ｓｙｓｔｅｍ）を用いたＣＭＹＫ色空間への色変換を行ってもよいものとする。尚、ハーフトーン処理は、画像処理部１０３内にある不図示のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）が実行することにより実現される。
【００２８】
次にＳ２０５に進みＣＰＵ１０５は、スクリーン処理や誤差拡散処理のような画像処理を行って、２値化されたＣＭＹＫ画像データを作成する。尚、ハーフトーン処理は画像処理部１０３内にある不図示のＡＳＩＣが実行することにより実現される。
【００２９】
以上が実施形態に係る画像処理装置１００の全体フローの説明である。
【００３０】
次にＳ２０３における色覚型色解析処理の詳細を図３のフローチャートを参照して説明する。
【００３１】
図３は、図２のＳ２０３の色覚型色解析処理を説明するフローチャートである。
【００３２】
まずＳ３０１でＣＰＵ１０５は、記憶部１０７に登録されているユーザ毎の色覚情報を取得する。
【００３３】
実施形態で登録されているユーザ毎の色覚情報を図５を参照して説明する。
【００３４】
図５は、実施形態において、ユーザごとに色覚型を登録しているユーザデータベースの一例を説明する図である。尚、このユーザデータベースは記憶部１０７に記憶されている。
【００３５】
ここでは、各ユーザのユーザＩＤと、ユーザ名に紐づけて色覚型に関する情報を保持したデータベースとなっている。例えば、ユーザＩＤが「００１」のユーザは、ユーザ名が「ＡＡＡ」でＣ型色覚の色覚型となっている。ユーザＩＤが「００１」のユーザと同様に、ユーザＩＤが「００２」、「００４」、「００６」、「００７」のユーザもＣ型色覚の色覚型である。ユーザＩＤが「００３」のユーザは、Ｄ型色覚の色覚型である。更に、ユーザＩＤが「００５」のユーザはＰ型色覚の色覚型となっている。尚、実施形態において、このデータベースは記憶部１０７に記憶されているとするが、サーバ等のコンピュータ装置やインターネット上のクラウドサーバー上に保存されているユーザ情報を取得してもよい。
【００３６】
次にＳ３０２に進みＣＰＵ１０５は、ログインしたユーザにより設定されているグループ情報を取得する。実施形態におけるログインしたユーザにより設定されているグループ情報について、図６を参照して説明する。
【００３７】
図６は、実施形態において、ユーザのグループを登録しているデータベースの一例を説明する図である。
【００３８】
ここでは３つのグループが設定されていて、グループ１で設定されているユーザは、ユーザＩＤが「００１」、「００２」、「００３」、「００４」のユーザである。同様にグループ２に設定されているユーザは、ユーザＩＤが「００１」、「００４」、「００５」、「００７」のユーザである。同様に、グループ３に設定されているユーザは、ユーザＩＤが「００１」、「００３」、「００６」のユーザである。尚、ここでは各ユーザに共通にグループを登録しているが、例えば各ユーザごとに、このグループ設定をカスタマイズできるようにしても良い。
【００３９】
次に、実施形態におけるＰＣのプリンタドライバからグループを設定するＵＩ（ユーザインタフェース）を図１３を参照して説明する。
【００４０】
図１３は、実施形態におけるＰＣのプリンタドライバからグループ設定するＵＩの一例を説明する図である。
【００４１】
図１３（Ａ）のＵＩ１３０１は、ユーザＩＤが「００１」のユーザでログインした時に表示されるＰＣのプリンタドライバから印刷設定を行うためのＵＩの一例であり、ユーザによりドライバの印刷設定のページ設定に関する詳細を設定する場合に表示される。原稿サイズ１３０２は、原稿サイズに関する設定をプルダウン形式で表示するＵＩで、予め決められている原稿サイズの設定項目から選択可能である。出力用紙サイズ１３０３は、出力する用紙サイズに関する設定をプルダウン形式で表示するＵＩで、予め決められている用紙サイズの設定項目から選択可能である。部数１３０４は、印刷部数に関する設定を特定の範囲の数値から入力するためのＵＩで、予め決められている範囲内で印刷部数を増減させることが可能である。
【００４２】
グループ印刷１３０５は、グループ印刷を行う場合に設定するためのＵＩで、チェックボックス形式で表示され、チェックが入った場合にグループ印刷を行う。この時、グループ印刷１３０５のチェックが入っていない場合は、部数１３０４による設定が可能となる。そして、後述するボックス１３０６、ボックス１３０７はグレーアウト表示され、ユーザにより押下されても設定及び選択が行えない状態となる。
【００４３】
これに対して、例えば図１３（Ａ）のように、グループ印刷１３０５のチェックが入っている場合は、部数１３０４はグレーアウト表示され、部数１３０４がユーザにより指示されても設定及び選択が行えない状態となる。そしてボックス１３０６、ボックス１３０７はグレーアウト表示が解除され、これらボックスを介して、ユーザによるグループ印刷の設定や、そのグループ設定情報の確認を行うことが可能となる。
【００４４】
ボックス１３０６は、グループ印刷する際に印刷するグループの設定をプルダウン形式で表示しているＵＩで、グループ設定ＤＢを取得し、設定されているグループ情報の設定項目から選択可能である。ボックス１３０７は、ボックス１３０６で選択されているグループに関するユーザ情報を表示するためのボタンで、ユーザによりボックス１３０７のボタンが押下されるとＵＩ１３１０が表示される。ＯＫボタン１３０８は、ユーザによる印刷設定が終了した時に押下されるボタンで、ユーザによりＯＫボタン１３０８が押下されると各印刷項目の設定が反映されて印刷を実行する。キャンセルボタン１３０９は、印刷設定をキャンセルする時に押下されるボタンで、ユーザによりキャンセルボタン１３０９が押下されると各印刷項目の設定を反映させずに印刷が中断される。
【００４５】
図１３（Ｂ）は、ボックス１３０６で選択されているグループに関するユーザ情報を表示するためのＵＩ１３１０の一例を示し、ユーザによりボックス１３０７が押下された時に表示される。
【００４６】
リスト１３１１は、ユーザがログインして、ボックス１３０６でグループ３を選択したときの、グループ３のユーザＩＤとユーザ名の一覧を表示した例を示す。この時、リスト１３１１は、グループ設定ＤＢ及びユーザ情報ＤＢを取得し、ログインしたユーザの設定されているグループ情報から該当するユーザ情報を抽出し、ユーザＩＤとユーザ名を表示する。ユーザ通知１３１２は、設定されているグループにユーザを追加したいときに使用するボタンで、ボタン１３１２を押下されると選択されたユーザが、グループ設定ＤＢのグループ設定に追加される。これと同時に、リスト１３１１のテーブルにも、そのユーザのユーザ情報が追加される。ユーザ削除１３１３は、設定されているグループのユーザを削除したいときに使用するボタンで、ユーザによりボタン１３１３が押下されると、選択されたユーザがグループ設定ＤＢのグループ設定から削除され、リスト１３１１のテーブルからも、そのユーザのユーザ情報が削除される。
【００４７】
ＯＫボタン１３１４は、ユーザによるグループ設定が終了した時に押下されるボタンで、ユーザによりＯＫボタン１３１４が押下されると設定されたグループのユーザ情報が反映されてＵＩ１３１０の表示を終了する。キャンセルボタン１３１５は、ユーザによるグループ設定をキャンセルする時に押下されるボタンで、ユーザによりキャンセルボタン１３１５が押下されると、この画面での指示を反映させずにＵＩ１３１０の表示を終了する。
【００４８】
次にＳ３０３に進みＣＰＵ１０５は、Ｓ３０１で取得したユーザ毎の色覚情報と、Ｓ３０２で取得したユーザのグループ情報を用いて、設定されているグループ内のユーザの色覚型情報を抽出する。実施形態におけるグループ内のユーザの色覚型情報の抽出方法について図７を参照して説明する。
【００４９】
図７は、実施形態で抽出した色覚型情報の例を示す図である。
【００５０】
図７（Ａ）は、ユーザＩＤが「００１」のユーザにより、印刷時にグループ３が設定された場合に、該当するユーザＩＤと、それに対応するユーザの色覚型を抽出したデータベースとなっている。そのため、実施形態で抽出されるＤＢは、図６のグループ３で設定されているユーザＩＤが「００１」、「００３」、「００６」のユーザだけ抽出し、図５のユーザ毎の色覚情報でユーザＩＤに対応する色覚情報を取得したデータベースとなる。
【００５１】
図７（Ｂ）は、図７（Ａ）で抽出したグループ内のユーザを色覚型別に分類分けしたもので、印刷部数と色覚型色変換の判定が必要となる色覚型かまとめたデータベースである。
【００５２】
図７（Ａ）からＣ型色覚の色覚型のユーザは、ユーザＩＤが「００１」、「００６」の２人のユーザであるため２部印刷する必要がある。Ｃ型色覚の場合、他の色覚型のように識別の難しい色相がないため、色覚型色変換を行う必要がない。
【００５３】
また図７（Ａ）からＤ型色覚の色覚型のユーザは、ユーザＩＤが「００３」のユーザだけであるため、１部だけ印刷する必要がある。Ｄ型色覚の場合、赤系と緑系の識別が難しいことが特徴であるため、画像データに識別の難しい色が２色以上使われている場合、色覚型色変換が必要となる。尚この例では、Ｐ型、Ｔ型、Ａ型の色覚型のユーザが含まれていないため、それら色覚型に対する印刷部数は０部である。Ｐ型、Ｔ型、Ａ型の色覚型のユーザが含まれる場合は、それぞれの特徴に応じて識別できない色があるため、色覚型色変換が必要となる。
【００５４】
次にＳ３０４に進みＣＰＵ１０５は、Ｓ３０４で抽出された設定されたグループ内の全てのユーザの色覚型がＣ型色覚のみか否か判定する。Ｓ３０４で全てのユーザの色覚型がＣ型色覚と判定された場合は、色覚型色変換と色覚型色変換に伴う印刷制御の切り替えが必要なくなるため、この色覚型解析処理を終了する。
【００５５】
一方、Ｓ３０４で、ＣＰＵ１０５は、いずれかのユーザがＣ型色覚以外、即ち、Ｄ型、Ｐ型、Ｔ型、Ａ型の色覚型のいずれかであると判定した場合はＳ３０５に進みＣＰＵ１０５は、印刷設定されているカラーモードがフルカラーかどうか判定する。Ｓ３０５で、印刷設定されているカラーモードがフルカラーでない場合は、色覚型色変換と色覚型色変換に伴う印刷制御の切り替えが必要なくなるため、そのままこの色覚型解析処理を終了する。
【００５６】
一方、Ｓ３０５でＣＰＵ１０５は、フルカラーであると判定した場合はＳ３０６に進みＣＰＵ１０５は、図２のＳ２０２で生成されたラスタ画像データを取得する。次にＳ３０７に進みＣＰＵ１０５は、Ｓ３０６で取得したラスタ画像データの色値（色情報）の構成を分析する。
【００５７】
実施形態に係る色値構成の分析方法は、ラスタ画像データの各ページで文字領域、グラフィック領域、背景領域の画素値を抽出し、画素値毎にＸＹＺ表色系の三刺激値Ｘ，Ｙ，Ｚに変換し、式（１）及び式（２）を用いて色度値（ｘ，ｙ）を算出する方法である。
【００５８】
ｘ＝Ｘ／(Ｘ＋Ｙ＋Ｚ)      …式（１）
ｙ＝Ｙ／(Ｘ＋Ｙ＋Ｚ)      …式（２）
実施形態における三刺激値Ｘ，Ｙ，Ｚへの変換方法は、入力値の組み合わせに対応した出力値を算出するルックアップテーブルを用いて色変換する方法とするが、三刺激値Ｘ，Ｙ，Ｚを算出できればどのような方法でもよい。また実施形態では、文字やグラフィックの内容を認識するために色覚型色変換を行うため、写真等のイメージ領域に対して処理を行わないものとしている。しかし、写真等のイメージ領域に対して処理を適用してもよいものとする。
【００５９】
次にＳ３０８に進みＣＰＵ１０５は、Ｓ３０７で分析した色値の構成から、Ｓ３０４で抽出された色覚型毎に色覚型色変換処理が必要になるかどうか判定する。実施形態における色覚型色変換処理の必要性の判定方法を、図１２を参照して説明する。
【００６０】
図１２は、実施形態のＳ３０７で分析した画素値をｘｙ色度図で表現した例を示す図である。
【００６１】
色度値１２０２及び色度値１２０３は、分析した画素値から算出している。２色以上の色値が混同色中心１２０１を中心とした混同色線と呼ばれる直線上にある場合、その色同士の識別が難しくなる。また色覚型毎に混同色中心１２０１は異なるため、色覚型に対応した混同色中心１２０１を用いて色覚型色変換処理の必要性の判定方法を行う。例えば、Ｄ型色覚のユーザの場合、混同色中心１２０１の色度値（ｘ，ｙ）は、（１．４０，−０．４０）となる。色度値１２０２の色度値（ｘ，ｙ）が（０．２０，０．４０）、色度値１２０３の色度値（ｘ，ｙ）が（０．５０，０．２０）となる場合、混同色中心１２０１と色度値１２０２と色度値１２０３は、全て直線上にある色度値となる。そのため、色度値１２０２及び色度値１２０３に対応する画素値同士の識別が難しくなることから、色覚型色変換処理の必要と判定する。実施形態では、色度値（ｘ，ｙ）と混同色線を用いて色覚型色変換処理の必要性を判定しているが、これに限らず色覚型色変換処理が必要と判定できる手段であればどのような方法でもよい。
【００６２】
次にＳ３０９に進みＣＰＵ１０５は、Ｓ３０８の色覚型色変換処理の必要性の判定結果に基づいて、覚型色変換処理が必要かどうか判定する。Ｓ３０９でＣＰＵ１０５が色覚型色変換処理が必要でないと判定した場合はＳ３１１に進みＣＰＵ１０５は、Ｓ３０４で抽出された全ての色覚型に対して処理が完了したかどうか判定する。一方、Ｓ３０９でＣＰＵ１０５が、色覚型色変換処理が必要と判定した場合はＳ３１０に進みＣＰＵ１０５は、カラーモードを、該当する色覚型向けの色覚型色変換のカラーモードに設定して色覚型色変換処理を実行する。
【００６３】
次に、実施形態における色覚型色変換処理の方法を図１２を参照して説明する。
【００６４】
Ｃ，Ｍ，Ｙ、Ｒ，Ｇ，Ｂの色相の中で変換する候補の色度値（ｘ，ｙ）を予め用意し、Ｓ３０７で分析した色度値の中で使われていない色相の中から候補の色度値１２０４を抽出する。そして、混同色線上にある色度値１２０２及び色度値１２０３のいずれかの色度値を、抽出した色度値１２０４に置き換えることで色覚型色変換を行う。図１２の例では、色度値１２０３の色度値を、抽出した色度値１２０４に置き換えている。色度値１２０４の色度値（ｘ，ｙ）が（０．２０，０．１０）の場合、混同色中心１２０１と色度値１２０２からなる混同色線上に色度値１２０４が存在しないため、色度値１２０２及び色度値１２０４に対応する画素値同士の識別が可能となる。
【００６５】
尚、実施形態では、混同色線上にあった色度値（ｘ，ｙ）の１色を、予め用意された混同色線上にならない色度値（ｘ，ｙ）に置き換えることで色覚型色変換した。しかし本発明はこれに限らず、色を識別できる色に変換する方法であれば、どのような方法でもよい。例えば、予めＣ，Ｍ，Ｙ，Ｒ，Ｇ，Ｂの中で、変換する候補の色度値（ｘ，ｙ）が、Ｓ３０７で分析した色度値で全て使われている場合、輝度にあたる三刺激値Ｙを変化させる方法を行ってもよい。三刺激値Ｙが異なる場合、２つの色が混同色線上にある場合でも、輝度の違いから色の判別が可能となる。
【００６６】
こうしてＳ３１１でＣＰＵ１０５は、Ｓ３０４で抽出された全ての色覚型が処理されたか否か判定する。Ｓ３１１でＣＰＵ１０５が、全ての色覚型が処理されていないと判定した場合はＳ３０８に戻り、Ｓ３０４で抽出された全ての色覚型の処理が完了するまで、上記処理を繰り返し処理する。一方、Ｓ３１１で全ての色覚型が処理されたと判定した場合はＳ３１２に進みＣＰＵ１０５は、Ｓ３１０での色覚型色変換処理が実行されたか判定する。Ｓ３１２における色覚型色変換処理を実行していない場合、色覚型色変換に伴う印刷制御の切り替えが必要なくなるため、この色覚型解析処理を終了する。
【００６７】
一方、Ｓ３１２で色覚型色変換処理を実行していると判定した場合はＳ３１３に進みＣＰＵ１０５は、色覚型色変換処理を含めたカラーモードが２パターン以上あるかどうか判定する。Ｓ３１３でＣＰＵ１０５は、カラーモードが１パターンと判定した場合は、色覚型色変換に伴う印刷制御の切り替えが必要なくなるため、そのままこの色覚型解析処理を終了する。一方、Ｓ３１３でＣＰＵ１０５は、カラーモードが２パターン以上あると判定した場合はＳ３１４に進み、後述する色覚型色変換に伴う印刷制御の切り替え処理を行って、この色覚型解析処理を終了する。
【００６８】
以上が実施形態に係る色覚型解析処理の説明である。
【００６９】
次にＳ３１４の印刷制御変更処理及び印刷制御方法の詳細、及びＵＩによる印刷制御方法の通知例を図４と図８、図９及び図１０を参照して説明する。
【００７０】
図４は、実施形態に係る画像処理装置１００が実行するＳ３１４の印刷制御変更処理を説明するフローチャートである。尚、このフローチャートで示す処理は、ＣＰＵ１０５がＲＡＭ１０６に展開したプログラムを実行することにより実現される。
【００７１】
図８は、実施形態におけるジョブの分割及び色覚型色変換に伴う印刷制御を行ったときのジョブの順番や部数、設定の一例を示す図である。
【００７２】
図９及び図１０は、実施形態に係る画像処理装置１００がジョブの分割及び色覚型色変換に伴う印刷制御を行った結果をユーザへ通知するＵＩの一例を示す図である。このＵＩは、表示部１０９に表示される。
【００７３】
まずＳ４０１でＣＰＵ１０５は、画像出力部１１０の給紙部１１２に設定されている用紙情報を取得する。実施形態における取得する用紙情報とは、用紙名、用紙サイズ及び用紙向き、坪量、表面性などの同じ種類の用紙が給紙カセット設定されているか判断するための情報のことである。次にＳ４０２に進みＣＰＵ１０５は、画像出力部１１０の排紙部１１３から排紙先として設定できる排出トレイに関する排紙部情報を取得する。次にＳ４０３に進みＣＰＵ１０５は、Ｓ３１０で実行された色覚型色変換処理の部数が１部かどうか判定する。Ｓ４０３で色覚型色変換処理の部数が１部であると判定した場合はＳ４０４に進みＣＰＵ１０５は、Ｓ２０１で生成されたジョブの分割及びジョブの順番に関する設定変更を行う。実施形態におけるジョブの順番の入れ替えとは、色覚型色変換処理の部数が１部となるジョブを、ジョブの最初もしくはジョブの最後に入れ替える処理である。そしてＳ４０５に進みＣＰＵ１０５は、表示部１０９を用いてユーザへジョブの変更結果をＵＩで通知する。
【００７４】
実施形態におけるＳ４０４のジョブの順番の設定変更処理について、図８（Ａ）及び図８（Ｂ）及び図９、図１０を参照して説明する。
【００７５】
図８では、Ｓ２０１で生成したジョブ毎に、印刷部数、色覚型色変換を含めたカラーモード、用紙種類、ヘッダ部分への付加の有無及び付加する場合の文字列、排紙先の排紙トレイ設定、仕切り紙の設定に関する印刷設定情報を保持している。
【００７６】
図８（Ａ）は、図７（Ａ）のように、ユーザＩＤ順にジョブが実行された場合のジョブ順及び印刷設定の一例を示す。ジョブの１番目とジョブの３番目は、Ｃ型色覚のユーザのジョブであるため、色覚型色変換は行わない。このため、カラーモードはフルカラーとなる。一方、２番目のジョブはＤ型色覚のユーザのジョブであるため、カラーモードをＤ型色覚のユーザ向けの色覚型色変換に変更したものとなる。
【００７７】
図８（Ｂ）は、図７（Ａ）のようにグループ設定されたジョブに対して、Ｓ４０４のジョブの順番の設定変更処理を適用した後のジョブの設定例を示す。ここではＣ型色覚のユーザのジョブとしてフルカラー設定で２部、Ｄ型色覚のユーザのジョブとしてＤ型色覚向けの色覚型色変換設定で１部印刷する必要があるため、Ｄ型色覚のユーザのジョブを最後に印刷する。実施形態では、Ｄ型色覚のユーザのジョブをジョブの最後に印刷しているが、ジョブの最初に印刷してもよい。
【００７８】
図９（Ａ）のＵＩ９０１は、Ｓ４０４のジョブの順番の設定変更処理（印刷条件の変更）を適用した結果をユーザへ通知するＵＩの例であり、Ｓ４０５でユーザへジョブの変更結果をＵＩで通知するタイミングでポップアップ表示する。ＵＩ９０２は、Ｓ４０４のジョブの順番の設定変更処理を適用した結果、ジョブの最後の印刷物が色覚型色変換したユーザ向けの印刷物であることを通知するための文言を表示している。ここでは、ユーザＩＤに対応したユーザ名を表示してもよく、或いはユーザＩＤ等の色覚型色変換したユーザ向けであることを通知できる方法であればどのような文言でもよい。ＯＫボタン９０３がユーザにより押下されるとＵＩ９０１の表示が終了する。
【００７９】
Ｓ４０３でＣＰＵ１０５は、色覚型色変換処理の部数が２部以上と判定したときはＳ４０６に進みＣＰＵ１０５は、Ｓ４０２で取得した排紙部情報を用いて、Ｓ２０１で生成したジョブの分割及びジョブの排出先に関する設定変更を行う。この排紙先の設定変更とは、排紙先となる排紙トレイが複数ある場合に、色覚型向けジョブ別に排紙トレイを割り当てる処理のことである。
【００８０】
実施形態におけるＳ４０６のジョブの排紙先の設定変更処理（排紙条件の変更）について、図８（Ｃ）、図９（Ｂ）を参照して説明する。
【００８１】
図８（Ｃ）は、図７（Ａ）のようにグループ設定されたジョブに対して、Ｓ４０６のジョブの排紙先の設定変更処理を適用した後のジョブの設定例を示す。ここでは排紙先情報として、デフォルト設定の排紙トレイ１と、排紙トレイ２が登録されている場合、Ｃ型色覚向けユーザのジョブは排紙トレイ１、Ｄ型色覚のユーザ向けジョブは排紙トレイ２に設定している。
【００８２】
図９（Ｂ）のＵＩ９０４は、Ｓ４０６のジョブの排紙先の設定変更処理を適用した結果をユーザへ通知するＵＩの一例を示し、Ｓ４０５のユーザへジョブの変更結果をＵＩで通知するタイミングでポップアップ表示する。ＵＩ９０５は、Ｓ４０６のジョブの排紙先の設定変更処理を適用した結果、変更した排紙トレイ２の印刷物が色覚型色変換したユーザ向けの印刷物であることを通知する文言を示す。ここでは、「排紙トレイ２の印刷物がＤ型色覚のユーザ向けジョブの排紙先である」旨が表示されている。尚、ここでは、ユーザＩＤに対応したユーザ名を表示してもよく、或いはユーザＩＤ等の色覚型色変換したユーザ向けの印刷を通知できる方法であればどのような文言でもよい。ＯＫボタン９０６がユーザにより押下されるとＵＩ９０４の表示が終了する。
【００８３】
尚、ここではＤ型色覚向けユーザのジョブのみの設定に関して説明したが、排紙トレイが３個以上ある場合は、３種類以上の色覚型ユーザ向けの印刷を行う場合、各排紙トレイを各色覚型ユーザ向けのジョブに割り当てるものとする。
【００８４】
次にＳ４０７に進みＣＰＵ１０５は、Ｓ４０６でジョブの排紙先の設定変更処理した結果、カラーモードのパターン数と排出先の設定を行って分割して設定したジョブのパターン数の比較を行う。Ｓ４０７で、設定したジョブのパターン数の方が、カラーモードのパターン数以上となる場合、排紙先の設定変更によって全ての色覚型向けユーザのジョブの判断が可能となる。そのためＳ４０５に進みＣＰＵ１０５は、ユーザへジョブの変更結果をＵＩで通知する。
【００８５】
一方、Ｓ４０７で、設定したジョブのパターン数の方が、カラーモードのパターン数よりも少ない場合、排紙先の設定では、全ての色覚型ユーザ向けジョブの判断ができなくなる。そのためＳ４０８に進みＣＰＵ１０５は、Ｓ４０１で取得した用紙情報を用いて、Ｓ２０１で生成したジョブの分割及びジョブの用紙設定に関する設定変更を行う。ここでの用紙変更処理とは、同一の用紙サイズ及び種類で、用紙向きの異なる用紙が給紙トレイにある場合、色覚型ユーザ向けのジョブに対しては、用紙向きの異なる用紙に設定変更する処理である。
【００８６】
実施形態におけるＳ４０８のジョブの順番の設定変更処理について、図８（Ｄ）、図９（Ｃ）を参照して説明する。
【００８７】
図８（Ｄ）は、図７（Ａ）のようにグループ設定されたジョブに対して、Ｓ４０８のジョブの用紙の設定変更処理を適用した後のジョブの設定例を示す。デフォルト設定のＡ４（普通紙）とＡ４Ｒ（普通紙）が給紙部１１２の給紙カセットにセットされている場合、Ｃ型色覚ユーザのジョブはＡ４（普通紙）、Ｄ型色覚ユーザのジョブはＡ４Ｒ（普通紙）に設定している。
【００８８】
図９Ａ（Ｃ）のＵＩ９０７は、Ｓ４０８のジョブの用紙の設定変更処理を適用した結果をユーザへ通知するＵＩの例を示し、Ｓ４０５のユーザへジョブの変更結果をＵＩで通知するタイミングでポップアップ表示する。ＵＩ９０８は、Ｓ４０８のジョブの用紙の設定変更処理を適用した結果、用紙を変更した印刷物が色覚型色変換したユーザ向けの印刷物であることを通知する文言を示す。ここでは、「Ａ４Ｒの印刷物がＤ型色覚のユーザ向けジョブの印刷物である」旨が表示されている。尚、ここでは、ユーザＩＤに対応したユーザ名を表示してもよく、或いはユーザＩＤ等の色覚型色変換したユーザ向けの印刷を通知できる方法であればどのような文言でもよい。ＯＫボタン９０９がユーザにより押下されるとＵＩ９０７の表示が終了する。
【００８９】
ここで、同一の用紙の種類かどうかの判定は、坪量、表面性に関する用紙情報が、給紙カセットに対応する用紙情報の同一かどうかにより判定する。そして、例えば、Ａ４とＡ４Ｒのように同一の用紙サイズで、用紙向きだけが異なる用紙がある場合に、Ｓ４０６で、その排紙期先に設定変更処理を行う。また実施形態では、Ｓ２０１で生成したジョブを分割した場合で説明しているが、Ｓ４０６で設定変更したジョブに対してＳ４０８のジョブの分割を行ってもよい。それにより、Ｓ４０６のジョブの排紙先の設定変更処理による排紙先の設定と、Ｓ４０８のジョブの用紙の設定変更処理による用紙設定を組み合わせた設定が可能となる。
【００９０】
次にＳ４０９に進みＣＰＵ１０５は、Ｓ４０８でジョブの用紙の設定変更処理した後、設定したジョブのパターン数とカラーモードのパターン数とを比較する。ここで設定したジョブのパターン数の方が、カラーモードのパターン数以上となる場合、全ての色覚型向けジョブの切り分けが可能となるためＳ４０５に進みＣＰＵ１０５は、ユーザへジョブの変更結果をＵＩで通知する。
【００９１】
一方、Ｓ４０９で設定したジョブのパターン数の方が、カラーモードのパターン数よりも少ない場合は、排紙先と用紙の変更だけでは、全ての色覚型ユーザ向けジョブの判定ができなくなる。そのため、Ｓ４１０に進みＣＰＵ１０５は、更に、用紙を区別するための仕切紙を挿入する設定が有効かどうか判定を行う。
【００９２】
図１１は、実施形態における仕切紙の挿入及び設定するためのＵＩ１１０１の一例を示す図である。
【００９３】
有効ボタン１１０２は、仕切紙の挿入設定を有効にする場合に押下されるボタンである。無効ボタン１１０３は、仕切紙の挿入設定を無効にする場合に押下されるボタンである。ここで選択されているボタンはボタンの背景領域の色が変化しているものとする。実施形態で、有効ボタン１１０２が選択されている。ＵＩ１１０４は、給紙カセット１を仕切紙として使用する場合に押下されるボタンで、ＵＩ１１０５は給紙カセット２を仕切紙として使用する場合に押下されるボタンである。実施形態では、ＵＩ１１０５の給紙カセット２が給紙元として選択されている。実施形態に限らず、給紙カセットの数に合わせて、ＵＩ１１０４のようなボタンを増やしてもよい。ここでＯＫボタン１１０６がユーザにより押下されると、この画面での仕切紙の挿入設定を反映してＵＩ１１０１の表示が終了する。
【００９４】
また、Ｓ４１０で仕切紙の挿入設定が有効であると判定したときはＳ４１１に進みＣＰＵ１０５は、Ｓ２０１で生成したジョブの分割及びジョブの仕切紙に関する設定変更を行う。
【００９５】
実施形態におけるＳ４１１の仕切紙の挿入設定処理について、図８（Ｅ）、図１０（Ａ）を参照して説明する。
【００９６】
図８（Ｅ）は、図７（Ａ）のようにグループ設定されたジョブに対して、Ｓ４１１の仕切紙の挿入設定処理を適用した後のジョブの設定例を示す。図１１のＵＩ１１０１で設定されている仕切紙の場合、Ｃ型色覚ユーザ向けのジョブは仕切紙なし、Ｄ型色覚ユーザ向けジョブは仕切紙ありで、用紙の種類はＡ４Ｒとなる。
【００９７】
図１０（Ａ）のＵＩ１０００は、Ｓ４１１の仕切紙の挿入設定処理を適用した結果をユーザへ通知するＵＩの例を示し、Ｓ４０５のユーザへジョブの変更結果をＵＩで通知するタイミングでポップアップ表示される。ＵＩ１００１は、Ｓ４１１の仕切紙の挿入設定処理を適用した結果、仕切紙の位置にある印刷物が色覚型色変換したユーザ向けの印刷物であることを通知するための文言を示す。ここでは、「仕切り紙のある印刷物がＤ型色覚のユーザ向けジョブの印刷物である」旨が表示されている。尚、ここでは、ユーザＩＤに対応したユーザ名を表示してもよく、或いはユーザＩＤ等の色覚型色変換したユーザ向けの印刷を通知できる方法であればどのような文言でもよい。ＯＫボタン１００２がユーザにより押下されるとＵＩ１０００の表示が終了する。
【００９８】
また、Ｓ４１０で仕切紙の挿入設定が無効の場合はＳ４１２に進みＣＰＵ１０５は、Ｓ２０１で生成したジョブの分割及びヘッダ部分への文字列付加に関する設定変更を行う。
【００９９】
実施形態におけるＳ４１２のヘッダの設定処理について、図８（Ｆ）、図１０（Ｂ）を用いて説明する。
【０１００】
図８（Ｆ）は、図７（Ａ）のようにグループ設定されたジョブに対して、Ｓ４１２のヘッダ設定処理を適用した後のジョブの設定例となる。グループ設定されている各ユーザのジョブに対してヘッダを付加する設定を有効とし、各ユーザのユーザＩＤもしくはユーザＩＤに対応したユーザ名をヘッダに付加する文字列として設定する。そして、ヘッダ設定処理によってヘッダを付加する場合は、ジョブの１ページ目のみヘッダを付加するものとする。また、予めヘッダに付加する文字が設定されている場合は、予め設定された文字列の前後に今回付加する文字列を挿入するものとする。図９Ａ（Ａ）のＯＫボタン９０３の文言は、ジョブにヘッダ付加した内容を記載した文言に変更する。
【０１０１】
図１０（Ｂ）のＵＩ１０１０は、Ｓ４１２のヘッダ設定処理を適用した結果をユーザへ通知するＵＩの例を示し、Ｓ４０５のユーザへジョブの変更結果をＵＩで通知するタイミングでポップアップ表示される。ＵＩ１０１１は、Ｓ４１２のヘッダ設定処理を適用した結果、１ページ目のヘッダ部分に各ユーザ名が記載されていることを通知するための文言を示す。ここでは、「１ページ目のヘッダに、どのユーザ向けの印刷物かを記載している」旨が表示されている。尚、ここでは、ユーザＩＤに対応したユーザ名を表示してもよい。またユーザＩＤ等の色覚型色変換したユーザ向けの印刷を通知できる方法であればどのような文言でもよい。ＯＫボタン１０１２がユーザにより押下されるとＵＩ１０１０の表示が終了する。
【０１０２】
次にＳ４０５に進みＣＰＵ１０５は、ユーザへジョブの変更結果をＵＩで通知する。そしてＳ４１３に進みＣＰＵ１０５は、Ｓ４０４、Ｓ４０６、Ｓ４０８、Ｓ４１１、Ｓ４１２のいずれかで行ったジョブの変更結果を反映させる。実施形態におけるジョブの変更結果の反映方法は、Ｓ２０１で生成したジョブの設定から、変更のあるジョブをＳ２０１からやり直すことである。その際、設定変更したジョブに対応する、Ｓ３１０で色覚型色変換を行ったページの画像データは、色覚型色変換前の画像データから差し替える。
【０１０３】
最後にＳ４１４に進みＣＰＵ１０５は、分割した各ジョブの印刷時の仕上げ設定をソートに変更し、印刷制御変更処理を終了する。実施形態におけるソート設定とは、複数ページの原稿データを複数部印刷する際に、１部ずつまとめて印刷する設定のことである。１部ずつまとめて印刷することで、それぞれのユーザで最適に設定された印刷物を配りやすくすることができる。
【０１０４】
以上説明したように実施形態によれば、特定の色覚型のユーザに対する印刷物の印刷条件或いは排紙条件などを変更して印刷処理を実行することにより、特定の色覚型のユーザに対する印刷物を容易に識別できるようにしている。また例えば、印刷された印刷物の１ページ目や、印刷された状態から、色覚型のユーザ向けの印刷物かどうか容易に識別可能となり、印刷物を各ユーザに配布する際の作業負荷を軽減することができる。
【０１０５】
また原稿データの色値構成やユーザの色覚型に関する情報、カラーモードの設定を考慮して色覚型色変換を実行するか判定し、色覚型色変換を行う必要がない場合は、排紙トレイや、給紙する用紙設定等の印刷設定を切り替えない。そのため、色覚型色変換を行う必要がない場合は、色覚型のユーザ向けであるかどうか意識することなく印刷できるため、大きく作業負荷を軽減できる。
【０１０６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【０１０７】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【０１０８】
１００…画像処理装置、１０２…装置制御部、１０３…画像処理部、１０５…ＣＰＵ、１０７…記憶部、１０９…表示部、１１２…給紙部、１１３…排紙部
【図１】
2020086468.tif 000003
【図２】
2020086468.tif 000004
【図３】
2020086468.tif 000005
【図４】
2020086468.tif 000006
【図５】
2020086468.tif 000007
【図６】
2020086468.tif 000008
【図７】
2020086468.tif 000009
【図８】
2020086468.tif 000010
【図９】
2020086468.tif 000011
【図１０】
2020086468.tif 000012
【図１１】
2020086468.tif 000013
【図１２】
2020086468.tif 000014
【図１３】
2020086468.tif 000015